(57)【特許請求の範囲】
【請求項１】
取り付け状態で長辺方向の軸線が受聴点に向くように所定の角度を有して配置された複数の矩形形状の貫通孔を前面に設けたグリルと、このグリルを前面に装着したスピーカからなるスピーカ装置であって、上記矩形形状の貫通孔を構成する横リブを受聴点方向に対して角度を持たせて音響反射板としたスピーカ装置。
【請求項２】
取り付け状態で長辺方向の軸線が受聴点に向くように所定の角度を有して配置された複数の矩形形状の貫通孔を前面に設けたグリルと、このグリルを前面に装着したスピーカからなるスピーカ装置であって、上記矩形形状の貫通孔を構成する横リブの厚みを５ｍｍ以下として音圧周波数特性の劣化を抑制したスピーカ装置。
【請求項３】
取り付け状態で長辺方向の軸線が受聴点に向くように所定の角度を有して配置された矩形形状の貫通孔、ならびに取り付け状態で短辺方向の軸線が受聴点を向くように所定の角度を有して配置されると共に長辺方向の内壁が上記受聴点に向くように所定の角度を設けて反射板を形成した矩形形状の貫通孔を前面に設けたグリルと、このグリルを前面に装着したスピーカからなるスピーカ装置。
【発明の詳細な説明】
【０００１】
【産業上の利用分野】
本発明は各種音響機器の中で主に車載用として使用され、スピーカユニットの前面にスピーカ保護用のグリルを取り付けて構成されるスピーカ装置に関するものである。
【０００２】
【従来の技術】
従来のこの種のスピーカ装置について図面を用いて説明する。
【０００３】
図７（ａ），（ｂ）は従来のスピーカ装置を示した正面図と側面断面図であり、同図において９はスピーカ１０の前面に結合された樹脂一体成形のグリルであり、このグリル９は平均肉厚が２．５mmあり、且つ貫通孔９ａが５．５mm角にて２．５mmのリブを介して連続的に格子状に開けられた構造となっている。
【０００４】
また、このスピーカ装置の取り付け状態は、図８に示すように車両のドア１１に埋め込むように取り付けられたスピーカ１０（図示せず）の前面にグリル１２が取り付けられており、このスピーカ装置の取り付け位置は受聴点１３に対し約６０°の角度を持って取り付けられて使用されているものであった。
【０００５】
【発明が解決しようとする課題】
しかしながら上記従来の構成では下記に掲げるような課題があり、スピーカ１０から放射される音響特性を満足に伝達することが困難となるものであった。
【０００６】
すなわち、スピーカ１０の前面に装着するグリル９が樹脂製の場合、ある程度の厚み（成形性を考慮してｔ２．５〜ｔ３．５mm）を有し、そこに角孔または丸孔等による貫通孔９ａが連続的に格子状に開けられた構造であり、且つそのグリル９の取り付け位置は聴取者の受聴点１３に対して角度を持った取り付け位置となり、スピーカ１０の取り付け面に対し前後方向の軸を０°とするならばその軸から約６０°程度の角度を持った位置で受聴することとなる。
【０００７】
そのためにグリル９の無い状態であっても指向特性の劣化が著しい角度である上に上記のようなグリル９が取り付けられた場合、６０°方向から見た開口率はグリル９の肉厚分が遮蔽部となってグリル９の開口を阻害し、ほとんど無開口に近くなってしまい、スピーカ１０から放射される高域特性の音圧レベル及び周波数特性のパターンと中域の周波数特性パターンを極端に劣化させてしまうものであった。
【０００８】
図９は上記従来のグリル９を前面に装着して測定を行った０°と６０°の音圧周波数特性であり、図１０は同スピーカ装置をグリル９無しの状態で測定を行った、いわゆるスピーカ１０単品の０°と６０°の音圧周波数特性であり、この両者の音圧周波数特性をまとめた（表１）から明らかなようにグリル９による音響特性の劣化が著しいことが確認できるものである。
【０００９】
【表１】
0003642075.tif 000002
【００１０】
【課題を解決するための手段】
この課題を解決するために本発明のスピーカ装置は、取り付け状態で長辺方向の軸線が受聴点に向くように所定の角度を有して配置された複数の矩形形状の貫通孔を前面に設けたグリルと、このグリルを前面に装着したスピーカからなる構成としたものである。
【００１１】
【作用】
この構成により、複数の矩形形状の貫通孔の長辺方向の軸線が取り付け状態で受聴点に向くために、受聴点から見た場合の開口面積が増すと共に遮蔽物が減少し、スピーカから放射される音響特性を劣化することなく受聴点に伝達し、高域の音圧レベルの向上と中域のディップの改善を図り、周波数特性の乱れを無くすることができるようになる。
【００１２】
【実施例】
（実施例１）
以下、本発明の第１の実施例について図面を用いて説明する。
【００１３】
図１（ａ），（ｂ）は同実施例によるスピーカ装置を示した正面図と側面断面図であり、図中１は樹脂を用いて一体成形したグリル、１ａはこのグリル１に複数個設けられた矩形形状の貫通孔、１ｂはこの貫通孔１ａにそれぞれ設けられた横リブ、２はこのグリル１を前面に結合したスピーカであり、このグリル１に複数個設けられた矩形形状の貫通孔１ａは上述の実車取り付け状態を説明した図８の符号１３で示す受聴点１３に対し約６０°の角度を設けられており、この角度を図１の矩形形状の貫通孔１ａの長辺方向の構成角度とすることにより、受聴点１３から見たグリル開口率を上記従来の図７に示したスピーカ装置の０％から４０％に向上させることができる。
【００１４】
なお、本実施例では上記矩形形状の貫通孔１ａの寸法は、長辺方向３７mm×短辺方向７mmであり、貫通孔１ａ間のリブ厚は３mmとし、音響反射板を兼ね備えた横リブ１ｂは受聴者方向に対し４５°の角度を持って構成したものである。
【００１５】
このような構成にすることにより、スピーカ２から放射される音がグリル１によって劣化してしまうことを極力少なくし、素直で自然な音を再生することができるようになり、本実施例によるスピーカ装置の０°と６０°の音圧周波数特性を図２に示し、これを従来品と比較した結果を（表２）に示したが、明らかに高域と中域の特性改善が図れたことが認められる。
【００１６】
【表２】
0003642075.tif 000003
【００１７】
また、図３（ａ），（ｂ）は上記図１（ａ），（ｂ）に示した横リブ１ｂを直角方向にした構成のものを示したものであるが、この横リブ３ｂの高さを５mm以内にすれば上記図１の横リブ１ｂと大差ない効果が得られ、さらにこのグリル３を樹脂にて成形する際の成形金型が加工しやすいという効果があるものである。
【００１８】
（改善例）
以下、本発明の第２の実施例の説明の前に、これに至る改善例について図面を用いて説明する。
【００１９】
図４（ａ），（ｂ）は同改善例によるスピーカ装置を示した正面図と側面断面図であり、同図において４はグリル、４ａはこのグリル４に複数個設けられた矩形形状の貫通孔、４ｂはこの貫通孔４ａの長辺方向の内壁が受聴点に向くように所定の角度を設けて構成した反射板、２はこのグリル４を前面に結合したスピーカであり、このグリル４に複数個設けられた矩形形状の貫通孔４ａは上述の実車取り付け状態を説明した図８の符号１３で示す受聴点１３に対し約６０°の角度を設けられており、この角度を図２の矩形形状の貫通孔４ａの短辺方向の構成角度とし、さらにその貫通孔４ａの長辺方向の内壁が上記受聴点１３を向くように所定の角度約３０°となるよう構成することにより、音響反射板４ｂを兼ね備えた補強リブとしている。
【００２０】
この反射板４ｂにより、スピーカ２から放射された音は反射板４ｂに当たり、入射角３０°に対し反射角も３０°となり、反射した音はグリル取り付け面に対し６０°の方向へと放射されることとなり受聴点１３の方向に向き、高域及び中域の周波数特性の乱れが少なくなり、優れた音質の再生を行うスピーカ装置が実現できるものである。
【００２１】
（実施例２）
以下、本発明の第２の実施例について図面を用いて説明する。
【００２２】
図５（ａ），（ｂ）は同実施例によるスピーカ装置を示した正面図と側面断面図であり、同図において５はグリル、５ａと５ｂはこのグリル５に複数個設けられた矩形形状の貫通孔、５ｃは横リブ、５ｄは反射板、２はこのグリル５を前面に結合したスピーカである。
【００２３】
このように構成された本実施例のスピーカ装置は、上記第１の実施例のグリル１の構成をグリル５の上半分とし、また上記改善例のグリル４の構成をグリル５の下半分として組み合わせて構成したものである。
【００２４】
本実施例によるスピーカ装置も上記第１の実施例および改善例と同様に上述の実車取り付け状態を説明した図８の符号１３で示す受聴点１３に対し約６０°の角度を持って矩形形状の貫通孔５ａ，５ｂが設けられており、この角度を同図の矩形形状の貫通孔５ａの長辺方向の構成角度とすることにより、グリル５の上半分が受聴点１３から見たグリル開口率を上記従来の図７に示したスピーカ装置の０％から４０％に向上させることができる。さらにグリル５の下半分を矩形形状の貫通孔５ｂの短辺方向の構成角度とし、さらにその貫通孔５ｂの内壁５が受聴点１３を向くように所定の角度約３０°となるよう構成し、音響反射板５ｄを兼ね備えた補強リブとしている。この反射板５ｄによりスピーカ２から放射された音は反射板５ｄに当たり、入射角３０°に対し反射角も３０°となり、反射した音はグリル取り付け面に対し６０°の方向へと放射されることとなり受聴点１３の方向に向き、この構成によりスピーカ２から放射される音がグリル５によって劣化してしまうことを極力少なくし、素直で自然な音を再生することができ、さらに、高域及び中域の周波数特性の乱れが少なくなり、優れた音質の再生を行うスピーカ装置が実現できるものである。
【００２５】
図６は本実施例によるスピーカ装置の０°と６０°の音圧周波数特性を示し、これを従来品と比較した結果を（表３）に記すが、明らかに高域と中域の特性改善が図れたことが認められる。
【００２６】
【表３】
0003642075.tif 000004
【００２７】
なお、本実施例は車のドア用のスピーカ装置として説明したものであるが、グリル開口部の角度・形状・寸法及び反射板の角度をコントロールすることにより、リヤトレイ用、インパネ用、ルーフ用等あらゆる取り付け条件にも対応が可能であり、また、上記矩形形状の貫通孔寸法は大きければ大きいほど、反射板の寸法は長ければ長いほど良いことは周知のことであるが、グリル本来の機能であるスピーカを保護することを考慮し、グリル強度との兼ね合いで最適な寸法を決定することが望ましいものであることは言うまでもない。
【００２８】
【発明の効果】
以上のように本発明によるスピーカ装置は、スピーカの前面に装着されるグリル開口部の形状をコントロールすることにより、音響性能の優れたスピーカ装置を提供することができ、以下に述べるような効果を得ることができるものである。
【００２９】
１、グリル開口形状を矩形形状とし、その長辺方向を受聴点に向けるとともにこの開口の矩形形状を構成する貫通孔を構成する横リブを受聴点方向に対し角度を持たせて音響反射板とするか、または、上記横リブを５ｍｍ以下の厚みにして、高域の音圧レベルダウンを防ぎ、中域の周波数特性パターンの乱れを防止し、より自然な音響性能を確保することができる。
【００３０】
２、グリル開口形状を矩形形状としその短辺方向を受聴点に向けると共に、その開口孔の内壁に所定の角度を設け音響反射板の役割を持たせた構成と、上記１の構成を上述の如く組合わせたことで、高域の音圧レベルの向上と共に、中域の周波数特性パターンの乱れを防止し、より自然で且つ音響性能劣化の少ないスピーカ装置を提供することができる。
【図面の簡単な説明】
【図１】（ａ）本発明の第１の実施例によるスピーカ装置を示す正面図
（ｂ）同側面断面図
【図２】同実施例によるスピーカ装置の周波数特性図
【図３】（ａ）本発明の第１の実施例によるスピーカ装置の応用例を示す正面図
（ｂ）同側面断面図
【図４】（ａ）本発明の第２の実施例によるスピーカ装置を示す正面図
（ｂ）同側面断面図
【図５】（ａ）本発明の第３の実施例によるスピーカ装置を示す正面図
（ｂ）同側面断面図
【図６】第３の実施例によるスピーカ装置の周波数特性図
【図７】（ａ）従来のスピーカ装置を示す正面図
（ｂ）同側面断面図
【図８】スピーカ装置の取り付け状態を示す斜視図
【図９】従来のスピーカ装置の周波数特性図
【図１０】従来のスピーカ単品の周波数特性図
【符号の説明】
１，３，４，５  グリル
１ａ，３ａ，４ａ，５ａ，５ｂ  貫通孔
１ｂ，３ｂ，５ｃ  横リブ
２  スピーカ
４ｂ，５ｄ  反射板
【図１】
0003642075.tif 000005
【図２】
0003642075.tif 000006
【図３】
0003642075.tif 000007
【図４】
0003642075.tif 000008
【図５】
0003642075.tif 000009
【図６】
0003642075.tif 000010
【図７】
0003642075.tif 000011
【図８】
0003642075.tif 000012
【図９】
0003642075.tif 000013
【図１０】
0003642075.tif 000014